(57)【特許請求の範囲】
【請求項１】
上方のオイル容器（３）の開口部（3a）と下方の容器（２）の口部（2a）とを透明な送油管（６）で連結すると共に、下方の容器（２）から前記送油管（６）により上方のオイル容器（３）内にオイルを送り、送られたオイルが送油管（６）の外側面を伝って下方の容器（２）に戻るようにし、上方のオイル容器（３）から下方のオイル容器（２）に何時までもオイルが流れ落ちているように見えるようにしたオイルのディスプレイ装置であって、オイルを上方のオイル容器（３）に送るポンプ（８）の吐出量を周期的に変化させるようにしたことを特徴とするオイルのディスプレイ装置。
【請求項２】
ポンプ（８）を駆動するモーター（９）の回転速度をモーター制御回路（10）によりハイ（Ｈ）とロー（Ｌ）に周期的に変化させ、ポンプ（８）の吐出量に変化を持たせたことを特徴とする請求項１記載のオイルのディスプレイ装置。
【請求項３】
モーター制御回路（10）に、モーター（９）をハイ（Ｈ）の状態で回転させる電圧を発生させるハイ回転電圧発生回路（107 ）と、ロー（Ｌ）の状態で回転させる電圧を発生させるロー回転電圧発生回路（108 ）を設け、ロー回転電圧発生回路（108 ）で発生した電圧を常時モーター（９）に印加すると共に、ハイ回転電圧発生回路（107 ）で発生した電圧をタイマーリレー（104 ）により周期的にモーター（９）に印加するようにしたことを特徴とする請求項２記載のオイルのディスプレイ装置。
【請求項４】
ロー回転電圧発生回路（108 ）で発生する電圧を可変としたことを特徴とする請求項３記載のオイルのディスプレイ装置。
【請求項５】
タイマーリレー（104 ）によりモーター（９）に印加するハイ回転電圧の印加時間と周期を可変としたことを特徴とする請求項３又は４記載のオイルのディスプレイ装置。
【発明の詳細な説明】
【０００１】
【産業上の利用分野】
この発明は、エンジンオイル等のオイルのディスプレイ装置に関するものである。
【０００２】
【従来の技術】
上方の飲料容器の開口部と下方の容器とを透明な管で連結すると共に、下方の容器から前記管により上方の飲料容器内に飲料を送り、送られた飲料が管の外側面を伝って下方の容器に戻るようにし、上方の飲料容器から下方の容器に何時までも飲料が流れる落ちるように見えるようにしたディスプレイ装置は従来からあった。
【０００３】
この装置の構造を利用して、オイルのディスプレイ装置を作ると、オイルは水に比べて粘度があり、実際であればオイルの容器を開けて流すと、オイルが容器の開口部からドクドクと脈動しながら流れ落ちるのであるが、殆ど脈動せずに一定な流れとなって落ちるのでリアル表現ができないという問題点があった。
【０００４】
【発明が解決しようとする課題】
そこでこの発明では、上記従来の問題点を解決するためになされたもので、オイルが実際に容器の開口部から流れ落ちているようにリアルに表現できるようにしたオイルのディスプレイ装置を提供することを目的とするものである。
【０００５】
【課題を解決するための手段】
そのため、この発明では、上方のオイル容器３の開口部3aと下方の容器２の口部2aとを透明な送油管６で連結すると共に、下方の容器２から前記送油管６により上方のオイル容器３内にオイルを送り、送られたオイルが送油管６の外側面を伝って下方の容器２に戻るようにし、上方のオイル容器３から下方のオイル容器２に何時までもオイルが流れ落ちているように見えるようにしたオイルのディスプレイ装置であって、オイルを上方のオイル容器３に送るポンプ８の吐出量を周期的に変化させるようにした。
【０００６】
請求項２記載の発明では、ポンプ８の吐出量を周期的に変化させるために、ポンプ８を駆動するモーター９の回転速度をモーター制御回路10によりハイ（Ｈ）とロー（Ｌ）に周期的に変化させ、ポンプ８の吐出量に変化を持たせるようにした。
【０００７】
さらに、請求項３記載の発明では、モーター９の回転速度を周期的に変化させるために、モーター制御回路10に、モーター９をハイ（Ｈ）の状態で回転させる電圧を発生させるハイ回転電圧発生回路107 と、ロー（Ｌ）の状態で回転させる電圧を発生させるロー回転電圧発生回路108 を設け、ロー回転電圧発生回路108 で発生した電圧を常時モーター９に印加すると共に、ハイ回転電圧発生回路107 で発生した電圧をタイマーリレー104 により周期的にモーター９に印加するようにした。
【０００８】
またさらに、請求項４記載の発明では、請求項３記載の構成に加え、ロー回転電圧発生回路108 で発生する電圧を可変とした。
【０００９】
またさらに、請求項５記載の発明では、請求項３又は４記載の構成に加え、タイマーリレー104 によりモーター９に印加するハイ回転電圧の印加時間と周期を可変とした。
【００１０】
【発明の実施の形態】
図１は、この発明のオイルのディスプレイ装置の斜視図、図２は内部構造を示す説明図、図３はこの発明のオイルのディスプレイ装置のモーター駆動回路の回路図、図４はタイマーリレーの作動とモーターの回転数とオイル吐出量の関係を示す説明図である。
【００１１】
以下、この発明のオイルのディスプレイ装置の構成について、これらの図面に基づき説明する。
【００１２】
この発明のオイルのディスプレイ装置は、図１に示すように、背板を有するディスプレイ台１の上に、４リットルのオイル缶２を載せ、その上に１リットルのオイル缶３を空中に浮かせて配し、さらに１リットルのオイル缶３の開口3aから４リットルのオイル缶２の開口2aにオイル５が何時までも流れているように見えるようになったものである。
【００１３】
さらに詳しく説明すると、１リットルのオイル缶３は、４リットルのオイル缶２の開口2a内に垂直に立設された無色透明合成樹脂からなる送油管６で支えられており、送油管６の上端は１リットルのオイル缶３の開口3a内に挿入されている。
【００１４】
送油管６の下部は、４リットルのオイル缶２の内部で支えられ、下端はオイル缶２の内部に設けたオイル槽７のポンプ８に連結されている。
【００１５】
さらに、ポンプ８は、モーター９により駆動されるようになっている。
前記モーター９は、ブラシレスＤＣモーターが使用され、ディスプレイ台１の内部に設けられたモーター制御回路10により回転数が制御されるようになっている。
【００１６】
モーター制御回路10は、図３に示す通り、ＤＣ５Ｖ電源回路103 と、タイマーリレー104 と、ハイ回転電圧発生回路107 と、ロー回転電圧発生回路108 とを有しており、ハイ回転電圧発生回路107 は、リレー105 とヒューズとメインスイッチ102 を経てＡＣ１００Ｖ電源101 に接続されている。
【００１７】
以下にモーター制御回路10について、さらに詳しく説明する。
ＤＣ５Ｖ電源回路103 は、タイマーリレー104 とリレー105 の電源となっている。
【００１８】
リレー105 のスイッチ106 をＯＮにすると、リレー105 がＯＮし、ＡＣ１００Ｖの電気がハイ回転電圧発生回路107 に至る。
【００１９】
ハイ回転電圧発生回路107 は、ＡＣ１００ＶをＤＣ２４Ｖに変換し、モーター９をハイ（Ｈ）の状態で回転させるための電圧を発生させる回路である。
【００２０】
ハイ回転電圧発生回路107 は、タイマーリレー104 を経てモーター９に接続されており、さらにハイ回転電圧発生回路107 は、ロー回転電圧発生回路108 にも接続されている。
【００２１】
ロー回転電圧発生回路108 はＤＣ−ＤＣ変換回路であり、ＤＣ２４ＶをＤＣ８Ｖ〜ＤＣ１５Ｖの範囲で電圧変換できるようになっている。
【００２２】
タイマーリレー104 は、ハイ回転電圧発生回路107 で発生したＤＣ２４Ｖの電圧をオン／オフして１〜５秒の任意の周期で発生するパルスに変換する装置であり、パルス幅（デューティ）も任意に変更可能となっている。
【００２３】
ロー回転電圧発生回路108 の出力電圧と、タイマーリレー104 の周期及びパルス幅を変更可能としたのは、使用するオイルの種類や気温により粘度が異なり、ホンプ８の吐出量が変わり、オイルの脈動する量の変化を最適なものに調整可能とするためである。
【００２４】
タイマーリレー104 とモーター９の回転数とオイル吐出量の関係を図４により説明する。
【００２５】
尚、ロー回転電圧発生回路108 の出力電圧は１２Ｖに調整されているものとする。
【００２６】
タイマーリレー104 は、一定の周期でオン／オフしてＤＣ２４Ｖのパルスを発生させる。
【００２７】
モーター９に印加される電圧は、タイマーリレー104 がオンしているときはＤＣ２４Ｖになり、タイマーリレー104 がオフのときはＤＣ１２Ｖになる。
【００２８】
すると、モーター９の回転数は、ＤＣ２４Ｖのときには高くなり、ＤＣ１２Ｖのときには低くなる。そのため、ホンプ８の吐出量が脈動する。
【００２９】
そのため、送油管６を伝って流れ落ちるオイル５も脈動し、リアルな表現ができるようになる。
【００３０】
以上が実施例の説明であり、この発明のオイルのディスプレイ装置は、モーターオイルのディスプレイ装置として開発されたが、モーターオイルだけでなく食用オイル等全てのオイルのディスプレイ装置に適用可能である。
【００３１】
【発明の効果】
以上のように、この発明では、上方のオイル容器３の開口部3aと下方の容器２の口部2aとを透明な送油管６で連結すると共に、下方の容器２から前記送油管６により上方のオイル容器３内にオイルを送り、送られたオイルが送油管６の外側面を伝って下方の容器２に戻るようにし、上方のオイル容器３から下方のオイル容器２に何時までもオイルが流れ落ちているように見えるようにしたオイルのディスプレイ装置であって、オイルを上方のオイル容器３に送るポンプ８の吐出量を周期的に変化させるようにしたものとした。
【００３２】
このようにすれば、上方のオイル容器３の開口部3aから流れ落ちるオイルが脈動し、オイルが実際に流れ落ちているように見えるようになり、リアルな表現ができる。
【００３３】
請求項２記載の発明では、ポンプ８の吐出量を周期的に変化させるために、ポンプ８を駆動するモーター９の回転速度をモーター制御回路10によりハイ（Ｈ）とロー（Ｌ）に周期的に変化させ、ポンプ８の吐出量に変化を持たせるようにした。
【００３４】
このようにすれば、簡単にポンプ８の吐出量を周期的に変化させることができる。
【００３５】
さらに、請求項３記載の発明では、モーター９の回転速度を周期的に変化させるために、モーター制御回路10に、モーター９をハイ（Ｈ）の状態で回転させる電圧を発生させるハイ回転電圧発生回路107 と、ロー（Ｌ）の状態で回転させる電圧を発生させるロー回転電圧発生回路108 を設け、ロー回転電圧発生回路108 で発生した電圧を常時モーター９に印加すると共に、ハイ回転電圧発生回路107 で発生した電圧をタイマーリレー104 により周期的にモーター９に印加するようにした。
【００３６】
このようにすれば、簡単にモーター９の回転数を周期的に変化させることができる。
【００３７】
またさらに、請求項４記載の発明では、請求項３記載の構成に加え、ロー回転電圧発生回路108 で発生する電圧を可変とした。またさらに、請求項５記載の発明では、請求項３又は４記載の構成に加え、タイマーリレー104 によりモーター９に印加するハイ回転電圧の印加時間と周期を可変とした。
【００３８】
このようにすれば、使用するオイルの種類や気温により粘度が異なっても、それに応じてオイルの脈動する量の変化や脈動する周期を調整できるので、リアルな表現ができるようになる。
【図面の簡単な説明】
【図１】この発明のオイルのディスプレイ装置の斜視図である。
【図２】この発明のオイルのディスプレイ装置の内部構造を示す説明図である。
【図３】この発明のオイルのディスプレイ装置のモーター駆動回路の回路図である。
【図４】この発明のオイルのディスプレイ装置のタイマーリレーの作動とモーターの回転数とオイル吐出量の関係を示す説明図である。
【符号の説明】
１  ディスプレイ台
２  オイル缶
2a  口部
３  オイル缶
3a  開口部
５  オイル
６  送油管
７  オイル槽
８  ポンプ
９  モーター
10  モーター制御回路
104 タイマーリレー
107 ハイ回転電圧発生回路
108 ロー回転電圧発生回路
【図１】
0004211016.tif 000002
【図２】
0004211016.tif 000003
【図３】
0004211016.tif 000004
【図４】
0004211016.tif 000005